(57)【特許請求の範囲】
【請求項１】
長手方向、幅方向、及び厚さ方向を有すると共に、肌対向面及び非肌対向面を有し、液透過性の表面シートと、前記表面シートよりも非肌対向面側に位置する吸収体及びシート部材と、着衣固定用の粘着部と、を備える吸収性物品であって、
前記吸収性物品は、平面視にて、前記吸収体と前記厚さ方向に重複し且つ排泄口に対応する排泄口対応領域と、前記排泄口対応領域の前記幅方向における両外側に存在する一対の排泄口隣接領域とを含み、
前記吸収性物品は、前記排泄口対応領域において延在する前記表面シートが、前記長手方向に延びる前記吸収体の両側縁と前記厚さ方向に重複する一対の側縁部のそれぞれを基端として少なくとも前記一対の排泄口隣接領域のそれぞれにおいて前記幅方向の両外側に突出すると共に、前記幅方向における外側端部で折り返されて前記外側端部よりも前記幅方向における内側において接合部を介して前記シート部材に接合されていることにより形成された、一対のクッション部を有し、
前記表面シートは、少なくとも前記排泄口対応領域において、凹凸構造を有する一方、前記外側端部においては、凹凸構造を有さない、ことを特徴とする吸収性物品。
【請求項２】
前記一対のクッション部のそれぞれは、前記基端と前記接合部との間において前記肌対向面に位置する上方クッション部と、前記基端と前記接合部との間において前記非肌対向面に位置する下方クッション部とを有し、前記下方クッション部が、前記シート部材から離間している、請求項１に記載の吸収性物品。
【請求項３】
前記一対のクッション部のそれぞれは、内面同士が接合されていない、請求項１又は２に記載の吸収性物品。
【請求項４】
前記表面シートは、エアスルー不織布からなり、前記一対のクッション部のそれぞれの外面がエア面となるように配置されている、請求項１〜３のいずれか一項に記載の吸収性物品。
【請求項５】
前記凹凸構造は、前記長手方向に連続的又は間欠的に延在し且つ前記幅方向に並設されたエンボス部からなる複数の溝部と、前記幅方向において前記複数の溝部のうち、隣接する２つの溝部の間に延在する畝部とからなる畝溝構造である、請求項１〜４のいずれか一項に記載の吸収性物品。
【請求項６】
前記吸収性物品は、少なくともそれぞれの前記排泄口隣接領域の一部において且つ前記厚さ方向において前記表面シートと前記吸収体との間に存在する、セカンドシートをさらに備え、
前記セカンドシートの前記幅方向における両端部のそれぞれは、前記一対のクッション部のそれぞれと前記厚さ方向において重複し且つ前記一対のクッション部のそれぞれと接合されていない、請求項１〜５のいずれか一項に記載の吸収性物品。
【請求項７】
前記シート部材は、前記吸収体よりも肌対向面側の位置に配置されている、請求項１〜６のいずれか一項に記載の吸収性物品。
【請求項８】
前記吸収体は、前記排泄口対応領域において、前記排泄口対応領域以外の領域と比べて、前記幅方向に括れた括れ部を有する、請求項１〜７のいずれか一項に記載の吸収性物品。
【請求項９】
前記吸収性物品は、少なくとも前記排泄口対応領域において、前記表面シート及び前記吸収体に、一対の圧搾部を有し、前記一対の圧搾部のそれぞれが、前記一対の側縁部のそれぞれに沿って延在している、請求項１〜８のいずれか一項に記載の吸収性物品。
【請求項１０】
自然状態において、前記一対のクッション部の最大高さは、前記排泄口対応領域の最大高さよりも高い、請求項１〜９のいずれか一項に記載の吸収性物品。
【発明の詳細な説明】
【技術分野】
【０００１】
本開示は、生理用ナプキン、パンティライナー、失禁パッド等の吸収性物品に関する。
【背景技術】
【０００２】
生理用ナプキン、パンティライナー、失禁パッド等の吸収性物品は、着用者の股間部に接触しながら長時間着用されるものであるため、着用者に違和感や不快感などを生じさせないように、吸収性物品の表面シートに凹凸構造を設け、着用者の肌との接触面積を低減させることにより装着感を向上させた吸収性物品が検討されている。【０００３】
そのような吸収性物品として、例えば、特許文献１には、液透過性の表面シート、液不透過性の裏面シート及びこれら両シート間に介在された液保持性の吸収体を具備し、実質的に縦長に形成された吸収性物品において、前記表面シートは、肌側に配される第１層と前記吸収体側に配される第２層とが積層されて所定パターンの接合部で部分的に接合され、第１層は前記接合部以外の部分が肌側に凸状をなし、第２層はエラストマー的挙動を示す材料で構成され、シート全体がエラストマー的挙動を示す立体シートからなり、且つ吸収性物品の長手方向及び／又は幅方向に伸張された状態で固定されている吸収性物品が提案されている。この特許文献１に開示された吸収性物品によれば、吸収性物品の装着性を改善することができるとされている。
【先行技術文献】
【特許文献】
【０００４】
【特許文献１】特開２００４−４６５号公報
【発明の概要】
【発明が解決しようとする課題】
【０００５】
文献１に記載された従来の吸収性物品では、表面シートが、吸収体の肌当接面側及び側面を被覆する構成となっているので、着用者が当該吸収性物品を着用し、着用者の両脚の大腿部が当該吸収性物品を幅方向に押圧すると、表面シートよりも硬い吸収体の硬さが着用者の両脚の大腿部に伝わり易いと共に、前記表面シートの肌側に配された第１層に、肌側に凸状をなす複数の凸部を含む凹凸構造が形成されているので、着用者が、歩行等して両脚の大腿部を前後に動かすと、前記複数の凸部が着用者の両脚の大腿部に当接して刺激を与え易い。その結果、当該吸収性物品は、着用者に違和感を与える虞があった。
そこで、本開示は、着用時における違和感を抑制して装着性を向上し易い、表面シートが凹凸構造を有する吸収性物品を提供することを目的とする。
【課題を解決するための手段】
【０００６】
本開示に係る吸収性物品は、
長手方向、幅方向、及び厚さ方向を有すると共に、肌対向面及び非肌対向面を有し、液透過性の表面シートと、前記表面シートよりも非肌対向面側に位置する吸収体及びシート部材と、着衣固定用の粘着部と、を備える吸収性物品であって、
前記吸収性物品は、平面視にて、前記吸収体と前記厚さ方向に重複し且つ排泄口に対応する排泄口対応領域と、前記排泄口対応領域の前記幅方向における両外側に存在する一対の排泄口隣接領域とを含み、
前記吸収性物品は、前記排泄口対応領域において延在する前記表面シートが、前記長手方向に延びる前記吸収体の両側縁と前記厚さ方向に重複する一対の側縁部のそれぞれを基端として少なくとも前記一対の排泄口隣接領域のそれぞれにおいて前記幅方向の両外側に突出すると共に、前記幅方向における外側端部で折り返されて前記外側端部よりも前記幅方向における内側において接合部を介して前記シート部材に接合されていることにより形成された、一対のクッション部を有し、
前記表面シートは、少なくとも前記排泄口対応領域において、凹凸構造を有する一方、前記外側端部においては、凹凸構造を有さないことを特徴とする。
【発明の効果】
【０００７】
本開示によれば、着用時における違和感を抑制して装着性を向上し易い、表面シートが凹凸構造を有する吸収性物品を提供することができる。
【図面の簡単な説明】
【０００８】
【図１】図１は、本開示の第１実施形態に係る生理用ナプキン１又は変形例に係る生理用ナプキン１０を展開した状態で表面シート側から厚さ方向に見た平面図である。
【図２】図２は、本開示の第１実施形態に係る生理用ナプキン１の展開した状態における斜視図である。
【図３】図３は、本開示の第１実施形態に係る生理用ナプキン１における、長手方向に延びる幅方向中央軸線ＣＬに沿った長手方向端面の端面図である。
【図４】図４は、本開示の第１実施形態に係る生理用ナプキン１について、図１のＩＶ−ＩＶ端面における端面図である。
【図５】図５は、図４における領域Ｘの拡大図である。
【図６】図６は、本開示の第１実施形態に係る生理用ナプキン１を着用している状態の模式図である。
【図７】図７は、本開示の第２実施形態に係る生理用ナプキン１０について、図１のＩＶ−ＩＶ端面に相当する端面図である。
【図８】図８は、図７における領域Ｙの拡大図である。
【発明を実施するための形態】
【０００９】
［態様１］
長手方向、幅方向、及び厚さ方向を有すると共に、肌対向面及び非肌対向面を有し、液透過性の表面シートと、前記表面シートよりも非肌対向面側に位置する吸収体及びシート部材と、着衣固定用の粘着部と、を備える吸収性物品であって、
前記吸収性物品は、平面視にて、前記吸収体と前記厚さ方向に重複し且つ排泄口に対応する排泄口対応領域と、前記排泄口対応領域の前記幅方向における両外側に存在する一対の排泄口隣接領域とを含み、
前記吸収性物品は、前記排泄口対応領域において延在する前記表面シートが、前記長手方向に延びる前記吸収体の両側縁と前記厚さ方向に重複する一対の側縁部のそれぞれを基端として少なくとも前記一対の排泄口隣接領域のそれぞれにおいて前記幅方向の両外側に突出すると共に、前記幅方向における外側端部で折り返されて前記外側端部よりも前記幅方向における内側において接合部を介して前記シート部材に接合されていることにより形成された、一対のクッション部を有し、
前記表面シートは、少なくとも前記排泄口対応領域において、凹凸構造を有する一方、前記外側端部においては、凹凸構造を有さない、ことを特徴とする吸収性物品。
【００１０】
本態様に係る吸収性物品は、特定の構造を有する一対のクッション部を有するので、着用者が当該吸収性物品を着用し、着用者の両脚の大腿部が当該吸収性物品を幅方向に押圧すると、着用者の両脚の大腿部に吸収体が当接する前に、着用者の両脚の大腿部は前記一対のクッション部のクッション性を感取し易い。そして、着用者の両脚の大腿部が当該吸収性物品を幅方向にさらに押圧すると、着用者の両脚の大腿部に吸収体が当接するまでは、着用者の両脚の大腿部は前記一対のクッション部のクッション性を徐々により強く感取し易い。その結果、着用者の両脚の大腿部が当該吸収性物品を幅方向にさらに一層押圧し、着用者の両脚の大腿部に吸収体が当接しても、本態様に係る吸収性物品は、着用者の両脚の大腿部に吸収体の硬さを感取し難くさせる。また、表面シートが、少なくとも前記排泄口対応領域において、凹凸構造を有する一方、前記一対のクッション部の外側端部においては、凹凸構造を有しないので、着用者が、歩行等して両脚の大腿部を前後に動かしても、前記一対のクッション部から刺激を受け難い。したがって、本態様に係る吸収性物品は、表面シートが凹凸構造を有する吸収性物品において、着用時における違和感を抑制して装着性を向上し易い。
【００１１】
［態様２］
前記一対のクッション部のそれぞれは、前記基端と前記接合部との間において前記肌対向面に位置する上方クッション部と、前記基端と前記接合部との間において前記非肌対向面に位置する下方クッション部とを有し、前記下方クッション部が、前記シート部材から離間している、態様１に記載の吸収性物品。
【００１２】
本態様に係る吸収性物品は、一対のクッション部のそれぞれが特定の構造を有するので、前記一対のクッション部のそれぞれが、着用者の両脚の大腿部の形状に応じて変形し易いので、着用者の両脚の大腿部に吸収体の硬さを感取し難くさせ、表面シートが凹凸構造を有する吸収性物品において、着用時における違和感を抑制して装着性を向上し易い。
【００１３】
［態様３］
前記一対のクッション部のそれぞれは、内面同士が接合されていない、態様１又は２に記載の吸収性物品。
【００１４】
本態様に係る吸収性物品は、一対のクッション部のそれぞれが特定の構造を有するので、クッション部における柔軟性が損なわれ難く、着用者の両脚の大腿部が受ける吸収体の硬さや刺激を感取し難くさせ、着用時における違和感を抑制し易い。
【００１５】
［態様４］
前記表面シートは、エアスルー不織布からなり、前記一対のクッション部のそれぞれの外面がエア面となるように配置されている、態様１〜３のいずれか一項に記載の吸収性物品。
【００１６】
本態様に係る吸収性物品は、表面シートが特定の形態により配置されたエアスルー不織布からなるので、一対のクッション部の外面が滑らかな肌触りを有し、クッション部に着用者の両脚の大腿部が当接しても肌への刺激が少なく、着用時における違和感を抑制し易い。
【００１７】
［態様５］
前記凹凸構造は、前記長手方向に連続的又は間欠的に延在し且つ前記幅方向に並設されたエンボス部からなる複数の溝部と、前記幅方向において前記複数の溝部のうち、隣接する２つの溝部の間に延在する畝部とからなる畝溝構造である、態様１〜４のいずれか一項に記載の吸収性物品。
【００１８】
本態様に係る吸収性物品は、特定の凹凸構造を有するので、着用者から排出された液体が長手方向に拡散し易い一方、幅方向には拡散し難く、着用者の両脚の大腿部との接触機会の多いクッション部にまで当該液体が到達し難いと共に、前記吸収性物品の幅方向の変形を誘導し易く、着用者の両脚の大腿部が受ける吸収体の硬さや刺激を感取し難くする。その結果、本開示に係る吸収性物品は、着用時における違和感を抑制し易い。
【００１９】
［態様６］
前記吸収性物品は、少なくともそれぞれの前記排泄口隣接領域の一部において且つ前記厚さ方向において前記表面シートと前記吸収体との間に存在する、セカンドシートをさらに備え、
前記セカンドシートの前記幅方向における両端部のそれぞれは、前記一対のクッション部のそれぞれと前記厚さ方向において重複し且つ前記一対のクッション部のそれぞれと接合されていない、態様１〜５のいずれか一項に記載の吸収性物品。
【００２０】
本態様に係る吸収性物品は、セカンドシートがクッション部との関係で特定の形態により配置されているので、クッション部が潰れ難いと共にその柔軟性が損なわれ難く、着用者の両脚の大腿部が受ける吸収体の硬さや刺激を感取し難くさせ、着用時における違和感を抑制し易い。
【００２１】
［態様７］
前記シート部材は、前記吸収体よりも肌対向面側の位置に配置されている、態様１〜６のいずれか一項に記載の吸収性物品。
【００２２】
本態様に係る吸収性物品は、シート部材が吸収体との関係で特定の形態により配置されているので、クッション部と厚さ方向に重なる位置に前記吸収体が存在せず、クッション部の着用者の両脚の大腿部の形状に応じた変形を阻害し難い。その結果、本態様に係る吸収性物品は、着用時における違和感を抑制し易い。
【００２３】
［態様８］
前記吸収体は、前記排泄口対応領域において、前記排泄口対応領域以外の領域と比べて、前記幅方向に括れた括れ部を有する、態様１〜７のいずれか一項に記載の吸収性物品。
【００２４】
本態様に係る吸収性物品は、吸収体が特定の形状を有するので、排泄口対応領域における吸収体と着用者の両脚の大腿部との接触機会を抑制し易いと共に、吸収体が着用者の両脚の大腿部に前記一対のクッション部を介して当接し易く、着用者の両脚の大腿部が受ける吸収体の硬さや刺激を感取し難くさせ、着用時における違和感を抑制し易い。
【００２５】
［態様９］
前記吸収性物品は、少なくとも前記排泄口対応領域において、前記表面シート及び前記吸収体に、一対の圧搾部を有し、前記一対の圧搾部のそれぞれが、前記一対の側縁部のそれぞれに沿って延在している、態様１〜８のいずれか一項に記載の吸収性物品。
【００２６】
本態様に係る吸収性物品は、所定の圧搾部を有するので、当該圧搾部を基点としてクッション部が肌対向面側に起立し、着用者の両脚の大腿部の形状に応じて変形し易いので、着用者の両脚の大腿部が受ける吸収体の硬さや刺激を感取し難くさせ、着用時における違和感を抑制し易い。
【００２７】
［態様１０］
自然状態において、前記一対のクッション部の最大高さは、前記排泄口対応領域の最大高さよりも高い、態様１〜９のいずれか一項に記載の吸収性物品。
【００２８】
本態様に係る吸収性物品において、自然状態における一対のクッション部の最大高さと排泄口対応領域の最大高さとが所定の関係にあり、一対のクッション部のそれぞれが、着用者の両脚の大腿部の形状に応じて変形し易いので、着用者の両脚の大腿部が受ける吸収体の硬さや刺激を感取し難くさせ、着用時における違和感を抑制し易い。
【００２９】
以下、本開示の吸収性物品の好適な実施形態について、図面を参照しながら詳細に説明する。なお、本明細書においては、特に断りのない限り、「展開した状態で水平面上に置いた対象物（例えば、吸収性物品、吸収体等）を、それらの厚さ方向の上方側から対象物を見ること」を「平面視」という。
【００３０】
本明細書において用いる各種方向等については、特に断りのない限り、以下のとおりである。
本明細書において、「長手方向」は「平面視における縦長の対象物の長さの長い方向」を指し、「幅方向」は「平面視における縦長の対象物の長さの短い方向（短手方向）」を指し、「厚さ方向」は「展開した状態で水平面上に置いた対象物に対して垂直方向」を指す。これらの長手方向、幅方向及び厚さ方向は、それぞれ互いに直交する関係にある。
【００３１】
また、本明細書では、「縦長の対象物（例えば、吸収性物品、吸収体等）の幅方向において、長手方向に延びる幅方向中央軸線ＣＬに対して相対的に近位側」を「幅方向の内側」といい、「前記縦長の対象物の幅方向において、前記幅方向中央軸線ＣＬに対して相対的に遠位側」を「幅方向の外側」という。
【００３２】
さらに、本明細書では、「吸収性物品の長手方向において、着用者が吸収性物品を着用した際に着用者の腹部に対して相対的に近位側となる一方側」を「吸収性物品の前方側」といい、「吸収性物品の長手方向において、着用者が吸収性物品を着用した際に着用者の腹部に対して相対的に遠位側（すなわち、着用者の背部に対して相対的に近位側）となる他方側」を「吸収性物品の後方側」という。なお、本明細書において、吸収性物品の前方領域及び後方領域は、それぞれ吸収性物品の前方側の領域及び後方側の領域を指す。
【００３３】
さらに、本明細書では、特に断りのない限り、吸収性物品の厚さ方向において、「吸収性物品の着用時に、着用者の肌対向面に対して相対的に近位側」を「肌対向面側」といい、「吸収性物品の着用時に、着用者の肌対向面に対して相対的に遠位側」を「非肌対向面側」という。なお、本明細書においては、吸収性物品を構成する各種部材（例えば、表面シート、吸収体、裏面シート等）の「肌対向面側の表面」及び「非肌対向面側の表面」を、それぞれ単に「肌対向面」及び「非肌対向面」という。
【００３４】
［第１実施形態］
［吸収性物品の基本構成］
図１は、本開示の第１実施形態に係る生理用ナプキン１を展開した状態で表面シート側から厚さ方向に見た平面図である。図２は、本開示の第１実施形態に係る生理用ナプキン１の展開した状態における斜視図である。図３は、本開示の第１実施形態に係る生理用ナプキン１における、長手方向に延びる幅方向中央軸線ＣＬに沿った長手方向端面の端面図である。図４は、本開示の第１実施形態に係る生理用ナプキン１について、図１のＩＶ−ＩＶ端面における端面図である。図５は、図４における領域Ｘの拡大図である。なお、図１において、図面の上方側が吸収性物品の前方側に相当し、図面の下方側が吸収性物品の後方側に相当する。
【００３５】
本実施形態に係る生理用ナプキン１は、図１〜図５に示すように、平面視にて、長手方向Ｌ及び幅方向Ｗを有する縦長の外形形状を有しており、具体的には、長手方向及び幅方向を有すると共に後述する吸収体１２と厚さ方向Ｔに重複する吸収本体部２と、該吸収本体部２の幅方向Ｗにおける両外側に存在する一対の吸収側部３、３’と、前方端部４と、後方端部５と、によって構成されている。
本実施形態に係る生理用ナプキン１において、吸収本体部２と一対の吸収側部３、３’のそれぞれとの長手方向Ｌにおける境界は、長手方向Ｌに延びる吸収体１２の両側縁６、６’と厚さ方向Ｔに重複する一対の側縁部７、７’によって画されている。また、本実施形態に係る生理用ナプキン１において、一対の吸収側部３、３’のそれぞれの長手方向Ｌにおける長さは、前記長手方向Ｌに延びる吸収体１２の両側縁４、４’と厚さ方向Ｔに重複する一対の側縁部７、７’の長さと同一である。
【００３６】
また、本実施形態に係る生理用ナプキン１において、一対の吸収側部３、３’のそれぞれは、前記吸収本体部２の長手方向Ｌにおける中央部分の前方寄りの位置において、幅方向Ｗの外側へ延出する略台形状のフラップ部１１、１１’を含んでいる。
【００３７】
吸収本体部２は、図１〜図５に示すように、厚さ方向Ｔにおいて、生理用ナプキン１の肌対向面側に位置する液透過性の表面シート８と、表面シート８よりも非肌対向面側に位置する撥水性のサイドシート１３、１３’と、サイドシート１３、１３’よりも非肌対向面側に位置する吸収体１２と、吸収体１２よりも非肌対向面側に位置する裏面シート１４と、裏面シート１４の非肌対向面に配置された、幅方向Ｗに連続的又は断続的に延びる複数の着衣固定用の粘着部１５と、を備えており、前記吸収本体部２は、着用者から排出された経血や尿等の液状排泄物を、厚さ方向Ｔに浸透させながら吸収体１２にて吸収及び保持することができるように構成されている。
【００３８】
一方、一対のフラップ部１１、１１’のそれぞれは、図１〜図５に示すように、厚さ方向Ｔにおいて、生理用ナプキン１の肌対向面側に位置するサイドシート１３、１３’と、サイドシート１３、１３’の非肌対向面側に位置する裏面シート１４と、裏面シート１４の非肌対向面に配置された長手方向Ｌに延びる着衣固定用の粘着部１７、１７’と、を備えている。
【００３９】
なお、生理用ナプキン１は、着用する際に、吸収本体部２の非肌対向面を、粘着部１５を介して着用者の下着の肌対向面に貼り付けた後、一対のフラップ部１１、１１’を、それぞれ下着の非肌対向面側に折り返しつつ粘着部１７、１７’を介して下着の非肌対向面に貼り付けることにより、下着に固定されるものである。したがって、一対のフラップ部１１、１１’の非肌対向面は、生理用ナプキン１の着用時には、着用者の肌に対向する面となる。
【００４０】
ここで、生理用ナプキン１を着用者の下着に固定するための、吸収本体部２における粘着部１５及び各フラップ部１１、１１’における粘着部１７、１７’に用いられる粘着剤は、それぞれ生理用ナプキン１を着用者の下着に固定し得るものであれば特に制限されず、例えば、スチレン系ポリマー等の任意の粘着剤を用いることができる。なお、上記の一対のフラップ部は、本開示においては必須の構成要素ではないため、本開示の吸収性物品は、当該一対のフラップ部を有していなくてもよい。
【００４１】
本実施形態に係る生理用ナプキン１において、前方端部４及び後方端部５のそれぞれは、図１に示すように、平面視にて、生理用ナプキン１の前方側に位置する長手方向Ｌの前方端縁部２３と、生理用ナプキン１の後方側に位置する長手方向Ｌの後方端縁部２５と、を備える。
【００４２】
また、本実施形態に係る生理用ナプキン１の吸収本体部２は、長手方向Ｌに沿って、生理用ナプキン１の前方端部４寄りに位置する前方領域２７と、生理用ナプキン１の後方端部５寄りに位置する後方領域３１と、これらの領域２７、３１の間に位置する排泄口対応領域２９と、を有している。
【００４３】
なお、図１において上記の各領域２７、２９、３１は、幅方向Ｗに延びる２本の仮想直線、すなわち、一対のフラップ部１１、１１’の各粘着部１７、１７’の長手方向Ｌにおける両端部３３、３５、３３’、３５’のうち長手方向Ｌの前方側に位置する一対の第１端部３３、３３’を含むようにして幅方向Ｗに延びる第１仮想直線Ｌ１と、長手方向Ｌの後方側に位置する一対の第２端部３５、３５’を含むようにして幅方向Ｗに延びる第２仮想直線Ｌ２と、によって各々区画されている。
【００４４】
さらに、排泄口対応領域２９には、後述するように、表面シート８及び吸収体１２を厚さ方向Ｔに圧搾すると共に、一対の側縁部７、７’に沿って延在する一対の圧搾部３７、３７’が設けられている。
【００４５】
ここで、本明細書において、「排泄口対応領域」とは、吸収性物品の着用時に、着用者の排泄口に対向する或いは当接する領域を指し、吸収性物品の種類や用途（具体的には、尿や便、経血などの液状排泄物の種類、対象とする着用者の年齢や性別等）に応じて、吸収性物品の種類毎に適宜設定される領域である。なお、排泄口対応領域は、通常、吸収性物品の長手方向の略中央部或いは前方側寄りの位置（例えば、吸収性物品が吸収本体部及びフラップ部を有する場合は、平面視にて、吸収本体部における、フラップ部と長手方向において重複する前方側寄りの位置であり、吸収性物品が長手方向の略中央部において幅方向の内側に括れた括れ部を有する吸収本体部からなる場合は、平面視にて、吸収本体部における前記括れ部に対応する位置であり、また、吸収性物品が長円状の吸収本体部から構成される場合は、吸収本体部の幅方向に延びる長手方向中央軸線を跨ぐ略中央部の位置である。）において、吸収性物品の長手方向全長の約１／３以上の長手方向長さと、吸収性物品の幅方向全長の約１／３以上の幅方向長さを有するように設定されるが、例えば、吸収性物品が夜用ナプキン等の場合は、排泄口対応領域の長手方向長さが、吸収性物品の長手方向全長の１／３未満となるように設定されることもある。
【００４６】
また、本実施形態に係る生理用ナプキン１の一対の吸収側部３、３’のそれぞれには、排泄口対応領域２９の幅方向Ｗの両外側に存在する排泄口隣接領域３９、３９’が存在する。排泄口隣接領域３９、３９’のそれぞれは、幅方向Ｗにおいて、排泄口対応領域２９に隣接して存在し且つ生理用ナプキン１における一対の側縁部７、７’のそれぞれを基端とすると共に一対の吸収側部３、３’の長手方向Ｌに延びる幅方向Ｗにおける両端縁のそれぞれを終端として延在する領域である。なお、本実施形態において、前記一対の吸収側部３、３’の長手方向Ｌに延びる幅方向Ｗにおける両端縁は、フラップ部１１、１１’の長手方向Ｌに延びる幅方向Ｗにおける両端縁と一致する。
【００４７】
以下、本開示の吸収性物品を構成する各種部材について、上記の実施形態に係る生理用ナプキン１を用いて更に詳細に説明する。
【００４８】
［表面シート］
本実施形態に係る生理用ナプキン１において表面シート８は、図１及び図３に示すように、長手方向Ｌの前方端縁部２３から後方端縁部２５に亘る領域且つ幅方向Ｗの吸収本体部２及び吸収側部３、３’の一部を含む領域において厚さ方向Ｔの肌対向面側に配置され、着用者の肌対向面に直に接触し得る液透過性シート部材によって構成されている。また、本実施形態において、表面シート８は、肌対向面側に位置する第１シート８ａと非肌対向面側に位置する第２シート８ｂとの２層構造により構成されている。
表面シート８を構成する上記液透過性シート部材は、吸収性物品の表面シートとして用い得る諸特性（例えば、液透過性や柔軟性、肌触り等）を有するものであれば特に制限されず、例えば、セルロース系繊維や親水化処理を施した熱可塑性樹脂繊維等の親水性繊維を用いて形成された、スパンレース不織布やエアスルー不織布等の不織布などを用いることができる。中でも、本開示の吸収性物品に用いる表面シートの第１シート８ａは、後述するように、肌触りの観点からエアスルー不織布からなるのが好ましく、本実施形態における表面シート８の第１シート８ａもエアスルー不織布により形成されている。
【００４９】
一方、表面シートの第２シートは、所謂セカンドシートともいわれるシート部材であり、当該第２シートは、その構成繊維が合成繊維である液透過性の繊維シートであることが好ましい。第２シートとしては、交差した合成繊維同士の互いの交点がエアスルー方式の熱融着によって接合されているエアスルー不織布であることが好ましい。なお、エアスルー不織布以外にも、ポイントボンド不織布、スパンボンド不織布、スパンレース不織布等であっても良い。第２シートがエアスルー不織布である場合には、その坪量は、１５ｇ／ｍ２〜４０ｇ／ｍ２の範囲内であることが好ましい。
【００５０】
なお、本実施形態における表面シート８は、第１シート８ａ及び第２シート８ｂの２層構造により構成されていたが、本開示の吸収性物品では第２シートは必須の構成要素ではなく、本開示の吸収性物品においては、表面シートは、第１シートのみで形成されてもよい。また、本開示の吸収性物品において、第２シート（セカンドシート）は、当該吸収性物品が表面シートとは別の構成部材として備えるシート部材であってもよい。
【００５１】
本実施形態に係る生理用ナプキン１において、表面シート８は、図１〜図５に示すように、吸収本体部２の幅方向Ｗ全域に亘り且つ生理用ナプキン１の前方端縁部２３から後方端縁部２５に至る全域に亘って長手方向Ｌに平行な畝溝構造を有する。ただし、表面シート８は、一対の側縁部７、７’のそれぞれの外側に延出する部分には畝溝構造を有しない。より具体的には、表面シート８には、複数の畝部４１及び複数の溝部４３が、長手方向Ｌにそれぞれ延在していると共に、複数の畝部４１のうちの１つの畝部４１と複数の溝部４３のうちの１つの溝部４３とが幅方向Ｗに交互に並ぶように配置されている。つまり、表面シート８の畝溝構造は、長手方向Ｌに延在し且つ幅方向Ｗに並設された複数の溝部４３と、幅方向Ｗにおいて複数の溝部４３の内、隣接する２つの溝部４３の間に延在する畝部４１とからなる。
【００５２】
さらに、本実施形態に係る生理用ナプキン１において、複数の溝部４３は、ヒートエンボス処理により形成されたエンボス部である。ヒートエンボス処理では、表面シート８の肌対向面側に位置する面のうち、互いに離間する多数の部位が、厚さ方向Ｔに圧縮されると同時に、加熱される。これにより、表面シート８には、第１シート８ａ及び第２シート８ｂを一体化し、所定の深さを有する溝部４３が形成される。
【００５３】
本開示の吸収性物品におけるエンボス部は、例えば、パターニングされた凸部を有するエンボスロールとフラットロールとの間に、表面シート及びセカンドシートを通過させてエンボス加工する方法によって形成されうる。この方法では、エンボスロール及び／又はフラットロールの加熱により、圧縮時の加熱が可能である。エンボスロールのエンボスパターンとしては、例えば、格子状パターン、千鳥状パターン、波状パターン等が挙げられる。なお、格子状パターン、千鳥状パターンの各パターンにあっては、間欠的なエンボス部、波状パターンにあっては、連続的なエンボス部がそれぞれ形成される。また、エンボス部のピッチ（すなわち溝部の間隔）は、長手方向に関しては通常０〜１０ｍｍ、好ましくは０．５〜２ｍｍであり、幅方向に関しては通常０．１〜１０ｍｍ、好ましくは１〜４ｍｍである。さらに、エンボス部の深さは、０．１〜５ｍｍ、好ましくは０．１〜１ｍｍである。
【００５４】
なお、本明細書において、対象物（畝部、シート部材、クッション部等）の高さ又は厚みの測定は、以下の通りとする。当該測定は、吸収性物品から切り出した１００ｍｍ×１００ｍｍのサンプルと、レーザー変位計（例えば、キーエンス株式会社製  高精度２次元レーザー変位計ＬＪ−Ｇシリーズ（型式：ＬＪ−Ｇ０３０））とを使用して、次のように非接触方式で実施される。サンプルを水平の測定台の上に置き、異なる５つの部位について、測定台からの変位をレーザー変位計で測定し、５つの測定値の平均値を当該対象物の高さ又は厚さ（ｍｍ）とする。
【００５５】
表面シートにおいて、例えば上記方法により形成されたエンボス部からなる複数の溝部が、長手方向に連続的又は間欠的に延在している。表面シートがこのような畝溝構造を有することにより、着用者から排出された液体が、吸収性物品の長手方向に拡散し易い一方、幅方向には長手方向と比して拡散し難くなり、着用者の両脚の大腿部との接触機会の多い部分（すなわち、後述する一対のクッション部）にまで当該液体が到達し難い。さらに、表面シートが上記畝溝構造を有することにより、各畝部と各溝部との境界に剛性差が生じるので、着用者の体形に応じた、吸収性物品の幅方向の変形を誘導し易い。その結果、本開示に係る吸収性物品は、着用時における違和感を抑制し易い。
【００５６】
なお、本実施形態に係る生理用ナプキン１において、表面シート８は、吸収本体部２の幅方向Ｗ全域に亘り且つ前方端縁部２３から後方端縁部２５に至る全域に亘って長手方向Ｌに平行な畝溝構造を有していたが、本開示に係る吸収性物品においては、この態様に限定されず、表面シートが、少なくとも排泄口対応領域において凹凸構造を有し、一対の側部領域、より好ましくは後述する一対のクッション部の外側端部において凹凸構造を有しない構成を有している。かかる構成により、吸収性物品は、血液や尿等の液状排泄物の吸収機会の最も多い排泄口対応領域において、凹凸構造を備えるので、着用者の肌との接触面積を低減すると共に、液の透過性や引き込み性を確保する一方、着用者の両脚の大腿部との接触機会の多い部分においては、凹凸構造を備えないので、着用者が歩行等して両脚を前後に動かす等しても、当該凹凸構造における複数の凸部が着用者の両脚の大腿部に当接して刺激を与える虞が少ない。
【００５７】
なお、本開示の吸収性物品における凹凸構造は、上記の態様に限定されず、例えば、特許第４８０９１９７号、特開２００９−２７９０９８号公報、特開２０１０−１１５４７９号公報、特開２０１５−１０７１５１号公報、特開２０１６−１１２２３４号公報等に記載の種々の方法により形成されうる。
【００５８】
また、表面シートの寸法は、吸収体の肌対向面を被覆することができ且つ後述の一対のクッション部を形成し得るものであれば特に制限されず、吸収性物品の着用対象者の大きさや性別、用途などに応じた任意の寸法形状を採用することができる。また、表面シートの坪量は、本開示の効果を阻害しない限り特に制限されず、例えば、５ｇ／ｍ2〜１００ｇ／ｍ2の範囲内の坪量を採用することができるが、液透過性や柔軟性などの点から２０ｇ／ｍ2〜５０ｇ／ｍ2の範囲内の坪量が好ましい。なお、本明細書において、坪量は、ＪＩＳ  Ｌ  １９０６の５．２に従って測定することができる。
【００５９】
［吸収体］
次に、本開示の吸収性物品に用い得る吸収体について説明する。本実施形態に係る生理用ナプキン１において、図１、３、４、５に示すように、吸収体１２は、厚さ方向Ｔにおいて、表面シート８と裏面シート１４との間に配置されて、表面シート８を透過してきた着用者の液状排泄物を吸収及び保持する機能を有する吸収性部材である。吸収体１２は、図１に示すように、平面視にて、長手方向Ｌにおける前方側及び後方側の各端縁がそれぞれ前方側及び後方側に円弧状に突出した縦長の外形形状を有し、生理用ナプキン１の長手方向Ｌに延びる幅方向中央軸線ＣLを含む中央領域において、上記の前方領域２７から後方領域３１に亘って延在するように配置されている。
【００６０】
本開示の吸収性物品において、吸収体は、特に制限されず、当分野において公知の任意の吸収体を用いることができる。そのような吸収体としては、例えば、パルプ等の吸水性繊維及び／又は高吸収性ポリマーを含む吸収性材料を含んでいてもよい。さらに、本開示の吸収性物品は、吸収体を覆う少なくとも１枚のティッシュ等の液透過性被覆シート（いわゆる、コアラップ）をさらに備えていてもよい。
【００６１】
本開示の吸収性物品において、吸収体の厚みは、本開示の効果を阻害しない限り特に制限されず、例えば、０．１ｍｍ〜１０ｍｍの範囲内の厚みを採用することができるが、吸収性、柔軟性などの点から０．３ｍｍ〜３ｍｍの範囲内の厚みが好ましい。
【００６２】
なお、本開示において、吸収体は上記の態様のものに制限されず、吸収体は、例えば、長方形、長円形、砂時計形等の任意の外形形状を有していてもよく、また、吸収性物品の長手方向の前方寄り或いは後方寄りに偏って配置されていてもよい。
【００６３】
例えば、本実施形態に係る生理用ナプキン１の変形例において、吸収体は砂時計形の外形形状を有している。本変形例では、吸収体が排泄口対応領域において、幅方向Ｗに括れた一対の括れ部を有する。より具体的には、当該一対の括れ部は、平面視にて、吸収体の長手方向Ｌに延びる両側縁のそれぞれが、排泄口対応領域において、幅方向Ｗの長さが他の部分よりも狭く形成されている。
【００６４】
本変形例において、吸収体が上記の括れ部を有していることにより、排泄口対応領域における吸収体と着用者の両脚の大腿部との接触機会を抑制し易いと共に、吸収体が着用者の両脚の大腿部との接触機会の多い部分（すなわち、後述する一対のクッション部）を介して当接し易く、吸収体の硬さが着用者の両脚の大腿部に伝わり難いので、着用時における違和感を抑制し易い。
【００６５】
［サイドシート］
サイドシートは、本開示の吸収性物品において必須の構成要素ではないものの、本実施形態に係る生理用ナプキン１おいてサイドシート１３、１３’は、図１、４、５に示すように、吸収本体部２における長手方向Ｌに延びる両側縁付近であって且つ長手方向Ｌの前方端縁部２３から後方端縁部２５に亘る領域及びフラップ部１１、１１’において配置され、着用者から排出された経血や尿等の液状排泄物の漏洩を防ぐ撥水性シート部材によって構成されている。本実施形態において、サイドシート１３、１３’の長手方向Ｌに延びる一方の側縁部分は、吸収体１２の長手方向Ｌに延びる両側縁６、６’の肌対向面側に重なるように配置されている一方、その他方の側縁部分は、フラップ部１１、１１’において裏面シート１４の肌対向面に接合されている。
【００６６】
なお、本開示の吸収性物品におけるサイドシートは、上記の態様に限定されず、吸収性物品のサイドシートとして用い得る諸特性（撥水性、柔軟性等）を有する限り、不織布、通気性を有するポリエチレンやポリプロピレン等の樹脂フィルム、熱可塑性樹脂製シート等、公知のサイドシート部材を用いることができる。
【００６７】
［クッション部］
本実施形態に係る生理用ナプキン１には、図１、２、４及び５に示すように、表面シート８が、一対の側縁部７、７’をそれぞれ基端として幅方向Ｗの外側に突出すると共に、幅方向Ｗにおける外側端部４７、４７’で折り返されて当該外側端部４７、４７’よりも幅方向Ｗにおける内側において接合部４９、４９’を介してサイドシート１３、１３’にそれぞれ接合されている一対のクッション部４５、４５’が設けられている。
【００６８】
本実施形態に係る生理用ナプキン１において、一対のクッション部４５、４５’は、表面シート８における一対の側縁部７、７’をそれぞれ基端とし、接合部４９、４９’を終端とする、表面シート８が折り返されて形成された部分である。表面シート８が折り返される外側端部４７、４７’は、一対のクッション部４５、４５’の幅方向Ｗにおける最も外側に位置すると共に、本実施形態に係る生理用ナプキン１においては、前方端部４から一対の吸収側部３、３’のそれぞれ、及び後方端部５までに亘り、長手方向Ｌに延在している。なお、本開示の吸収性物品におけるクッション部の外側端部は、この形態に限定されず、少なくとも一対の吸収側部のそれぞれにおいて長手方向Ｌに延在していることが好ましい。
【００６９】
さらに、図５に示すように、接合部４９、４９’は、吸収本体部２の側縁部７、７’の幅方向Ｗの内側且つ当該側縁部７、７’の幅方向Ｗの近傍において、表面シート８とサイドシート１３、１３’のそれぞれとの間に設けられている。本開示の吸収性物品において、接合部と吸収体の長手方向に延びる側縁との幅方向における距離は、好ましくは２〜２５ｍｍ、より好ましくは５〜１５ｍｍである。下記で説明するように、一対のクッション部のクッション性を確保する観点からである。
【００７０】
また、本開示の吸収性物品において、一対のクッション部のそれぞれの基端となる一対の側縁部のそれぞれと、外側端部との幅方向における距離は、好ましくは５〜３５ｍｍ、より好ましくは８〜３０ｍｍである。下記で説明するように、一対のクッション部のクッション性を確保する観点からである。
【００７１】
また、本実施形態に係る生理用ナプキン１において、一対のクッション部４５、４５’は、前方端部４、吸収側部３、３’及び後方端部５の長手方向Ｌにおける全域に亘って延在しているが、本開示の吸収性物品において、一対のクッション部の長手方向における長さはこの態様に限定されず、当該一対のクッション部は、少なくとも吸収側部３、３’における排泄口隣接領域の長手方向の全域に亘って延在していることが好ましい。前記した通り、表面シートが着用者の両脚の大腿部との接触機会の多い一対のクッション部の外側端部においては、凹凸構造を備えないと共に、当該一対のクッション部が、表面シートが少なくとも排泄口隣接領域において幅方向の外側に突出する構成となっていることにより、本開示の吸収性物品は、下記で説明するように、好適なクッション性を有すると共に、着用者の両脚の大腿部に対する刺激を与え難い。
【００７２】
さらに、本開示の吸収性物品における一対のクッション部の最大高さは、自然状態において、好ましくは５〜４０ｍｍ、より好ましくは１０〜３５ｍｍである。下記で説明するように、一対のクッション部のクッション性を確保する観点からである。
【００７３】
ここで、本明細書において、対象物（クッション部、排泄口対応領域、等）の最大高さとは、吸収性物品を載置した水平な基準面からの対象物の高さの最大値をいい、前記のレーザー変位計で測定することができる。また、吸収性物品の自然状態とは、当該吸収性物品を展開した状態において、当該吸収性物品の重力以外の外力が働いていない状態をいう。
【００７４】
また、本開示の吸収性物品において、自然状態における一対のクッション部の最大高さは、排泄口対応領域の最大高さ（すなわち、吸収性物品を載置した水平な基準面から表面シートの凹凸構造における凸部において最も高い位置の高さ）よりも高いことが好ましい。かかる構成により、自然状態における一対のクッション部の最大高さと排泄口対応領域の最大高さとが所定の関係にあり、一対のクッション部のそれぞれが、着用者の両脚の大腿部の形状に応じて変形し易いので、着用者の両脚の大腿部が受ける吸収体の硬さや刺激を感取し難くさせ、着用時における違和感を抑制し易い。
【００７５】
また、本開示の吸収性物品における一対のクッション部のそれぞれは、排泄口隣接領域において、クッション性を確保する観点から、厚さ方向Ｔにおいて、好ましくは２．０〜８．０Ｎ・ｍ／ｍ２、より好ましくは、３．０〜６．０Ｎ・ｍ／ｍ２さらにより好ましくは３．５〜５．５Ｎ・ｍ／ｍ２のＷＣ（圧縮エネルギー）を有している。
上記ＷＣ（圧縮エネルギー）は、値が大きいほど圧縮され易いことを意味し、吸収性物品のサンプルを自動化圧縮試験機「ＫＥＳ  ＦＢ−３Ａ」（カトーテック（株）製）による圧縮特性評価試験に供することにより取得できる。このとき、上記試験機の圧縮子は、その中心をクッション部の幅方向中心部分に合わせて測定することとする。また、上記圧縮特性評価試験の測定条件は、以下の通りとする。
ＳＥＮＳ  ：２
速度      ：０．０２ｍｍ／秒
ストローク：５ｍｍ／１０Ｖ
圧縮子面積  ：２ｃｍ2
取込み間隔：０．１秒
上限荷重  ：５０ｇｆ／ｃｍ2
繰返し回数：１回
なお、上記一対のクッション部のそれぞれの厚さ方向ＴにおけるＷＣ（圧縮エネルギー）が上記数値範囲にあれば、幅方向Ｗにおいても、上記一対のクッション部のそれぞれが、本開示の吸収性物品において好適なクッション性を発揮できると考えられる。
【００７６】
ここで、本実施形態に係る生理用ナプキン１において、一対のクッション部４５、４５’を備えることによる作用効果を説明する。図６は、本開示の第１実施形態に係る生理用ナプキン１を着用している状態の模式図である。
【００７７】
図６に示すように、着用者が生理用ナプキン１をショーツ５５に装着して生理用ナプキン１を着用すると、着用者の両脚の大腿部が生理用ナプキン１を幅方向に押圧する。ここで、生理用ナプキン１は、上記のような一対のクッション部４５、４５’を備えるので、幅方向Ｗにおいて、吸収体１２よりも一対のクッション部４５、４５’の方が外側にせり出す構成となっており、着用者の両脚の大腿部が生理用ナプキン１を幅方向に押圧すると、一対のクッション部４５、４５’は、着用者の両脚の大腿部に吸収体１２の硬さを感取し難くする、いわばクッション材のように機能する。つまり、着用者の両脚の大腿部が生理用ナプキン１を幅方向に押圧すると、着用者の両脚の大腿部に吸収体１２が当接する前に、着用者の両脚の大腿部は一対のクッション部４５、４５’のクッション性（つまり、柔らかさや反発力）を感取し易い。そして、着用者の両脚の大腿部が生理用ナプキン１を幅方向にさらに押圧すると、着用者の両脚の大腿部に吸収体１２が当接するまでは、着用者の両脚の大腿部は一対のクッション部４５、４５’のクッション性を徐々により強く感取し易い。その結果、着用者の両脚の大腿部が生理用ナプキン１を幅方向にさらに一層押圧し、着用者の両脚の大腿部に吸収体１２が当接しても、吸収体１２に当接するまでの間に着用者の両脚の大腿部は一対のクッション部４５、４５’のクッション性を感取しているので、一対のクッション部のクッション性を感取せずに着用者の両脚の大腿部に吸収体の硬さが伝わる場合と比べて、生理用ナプキン１は、着用者の両脚の大腿部に吸収体の硬さを感取し難くさせることができる。したがって、上記構成により、吸収体１２の硬さが着用者の両脚の大腿部に伝わり難くなる。しかも、本実施形態に係る生理用ナプキン１においては、上記一対のクッション部４５、４５’が吸収体１２のよりも肌対向面側の位置に配置され、着用者の両脚の大腿部が生理用ナプキン１を幅方向に押圧すると、吸収体１２よりも外側にせり出している一対のクッション部４５、４５’が着用者の両脚の大腿部の形状に応じて、幅方向Ｗに潰れるように柔軟に変形し易いと共に、当該変形が吸収体１２により阻害され難いので、着用者の両脚の大腿部により当該一対のクッション部４５、４５’のクッション性が感取され易い。
さらに、クッション部４５、４５’を構成する表面シート８は、少なくとも排泄口対応領域２９において畝溝構造を有する一方、それぞれの外側端部４７、４７’においては畝溝構造を有しないので、着用者の両脚の大腿部の当接機会が多い部分における一対のクッション部４５、４５’の肌対向面には畝溝構造を有しない構成となっている。したがって、着用者が、歩行等して両脚の大腿部を前後に動かし、両脚の大腿部と一対のクッション部４５、４５’との当接機会がより増えても、前記畝溝構造が存在することによる刺激を受け難い。したがって、生理用ナプキン１は、排泄口対応領域２９において畝溝構造を有することによる効果を享受しつつ、着用時における違和感を抑制して装着性を向上し易い。
【００７８】
また、本実施形態に係る生理用ナプキン１において、図４及び５に示すように、一対のクッション部４５、４５’のそれぞれは、前記基端となる一対の側縁部７、７’と前記終端となる接合部４９、４９’との間において、肌対向面に位置する上方クッション部５１、５１’と、非肌対向面に位置する下方クッション部５３、５３’とを有する。
【００７９】
さらに、本実施形態に係る生理用ナプキン１において、図２、４、５に示すように、一対のクッション部４５、４５’のそれぞれは、一対の側縁部７、７’から外側端部４７、４７’にかけて、外側端部４７、４７’が最も高くなるように肌対向面側に隆起している。そして、一対のクッション部４５、４５’のそれぞれにおける非肌対向面に位置する下方クッション部５３、５３’は、シート部材（サイドシート１３、１３’）から離間している。
【００８０】
一対のクッション部４５、４５’が、このような形状を有することにより、一対のクッション部４５、４５’のそれぞれが、着用者の両脚の大腿部の形状に応じて変形し易いので、着用者の両脚の大腿部に吸収体１２の硬さを感取し難くさせるので、生理用ナプキン１は、着用時における違和感を抑制して装着性を向上し易い。
【００８１】
また、本実施形態に係る生理用ナプキン１において、一対のクッション部４５、４５’のそれぞれは、外面ＥＳ（すなわち、上方クッション部５１、５１’の肌対向面及び下方クッション部５３、５３’の非肌対向面であって、外部に露出している表面）と、内面ＩＳ（すなわち、上方クッション部５１、５１’の非肌対向面及び下方クッション部５３、５３’の肌対向面であって、外部に露出していない表面）とを有する。そして、一対のクッション部４５、４５’のそれぞれは、内面ＩＳ同士が接合されておらず、その内部空間に一定程度の空気を含んでいる。したがって、上方クッション部５１、５１’と下方クッション部５３、５３’とは、共にふんわりとした感触を有し、着用者が両脚の大腿部で生理用ナプキン１を幅方向Ｗに押圧しても吸収体１２の硬さを感取し難くする、クッション性機能をより確実に確保できる。さらに、内面ＩＳ同士が接合されていないことにより、一対のクッション部４５、４５’における柔軟性が損なわれ難く、着用者の両脚の大腿部が受ける吸収体１２の硬さや刺激を感取し難くさせ、着用時における違和感を抑制し易い。
【００８２】
また、本実施形態に係る生理用ナプキン１において、前述のように、表面シート８は、エアスルー不織布により形成されている。
【００８３】
ここで、エアスルー不織布又はスパンレース不織布は、その製造時において、気流にのせた繊維をネット上に落下堆積させることによりウェブ形成を行う工程、及びネット上のウェブに対して該ウェブのさらに上から高温空気又は高圧水流を貫通させてウェブ結合を行う工程を経る不織布、すなわち、ネットを用いて製造された不織布であり、このような製造工程上の特徴から、前記いずれの不織布も、製造時にネットを接触していた（ネット上に配置されていた）ネット面と、該ネットと接触しておらず高温空気や高圧水流が直接当てられた、ネット面とは反対側の面（エア面）とを有している。このようなネット面及びエア面を有する不織布は、エア面の方がネット面と比して繊維密度が低く、柔らかな肌触りを有する。
【００８４】
そして、本実施形態において、表面シート８は、一対のクッション部４５、４５’のそれぞれの外面ＥＳがエア面となるように配置されている。
【００８５】
本実施形態に係る生理用ナプキン１において、表面シート８が上記の特定の形態により配置されたエアスルー不織布からなるので、一対のクッション部４５、４５’の外面ＥＳが滑らかな肌触りを有し、当該一対のクッション部４５、４５’に着用者の両脚の大腿部が当接しても肌への刺激が少なく、着用時における違和感を抑制し易い。
【００８６】
また、本実施形態に係る生理用ナプキン１において、図５に示すように、第２シート（セカンドシート）８ｂの幅方向Ｗにおける端部５７、５７’は、一対のクッション部４５、４５’のそれぞれと厚さ方向Ｔにおいて重複すると共に、換言すると、第２シート（セカンドシート）８ｂの幅方向Ｗにおける端部５７、５７’のそれぞれは、一対の吸収側部３、３’のそれぞれに存在し、当該一対のクッション部４５、４５’の内面ＩＳと接合されていない。
【００８７】
本実施形態に係る生理用ナプキン１において、第２シート（セカンドシート）８ｂが一対のクッション部４５、４５’との関係で上記の特定の形態により配置されることにより、第２シート（セカンドシート）８ｂの存在により一対のクッション部４５、４５’が潰れ難いと共に、その柔軟性が損なわれ難い。その結果、着用者の両脚の大腿部が受ける吸収体の硬さや刺激を感取し難くさせ、着用時における違和感を抑止し易い。
【００８８】
また、本実施形態に係る生理用ナプキン１において、図５に示すように、表面シート８が接合部４９、４９’を介して接合されるシート部材であるサイドシート１３、１３’は、吸収体１２よりも肌対向面側の位置に配置されている。
【００８９】
本実施形態に係る生理用ナプキン１は、吸収側部３、３’における表面シート８が吸収体１２を巻き込まずに折り返されて一対のクッション部４５、４５’が形成されていることにより、着用者の両脚の大腿部が受ける吸収体１２の硬さや刺激を感取し難くさせると共に、吸収体１２の幅方向両側部と着用者の両脚の大腿部との接触機会を抑制し易く、着用時における違和感を抑制し易い。
【００９０】
［圧搾部］
本開示の吸収性物品においては必須の構成要素ではないものの、図１、２、４に示すように、本実施形態に係る生理用ナプキン１は、排泄口対応領域２９には、表面シート８及び吸収体１２を厚さ方向Ｔにエンボス処理により圧搾すると共に、一対の側縁部７、７’に沿って延在する一対の圧搾部３７、３７’が設けられている。本実施形態において、一対の圧搾部３７、３７’は、生理用ナプキン１の排泄口対応領域２９の長手方向Ｌの全域に亘って生理用ナプキン１が、かかる一対の圧搾部３７、３７’を有することにより、当該一対の圧搾部３７、３７’を基点として生理用ナプキン１の長手方向Ｌに延びる両側縁部付近が肌対向面側に隆起し易くなるに伴い、上記一対のクッション部４５、４５’も肌対向面側に起立し易くなる。その結果、一対のクッション部４５、４５’が、着用者の両脚の大腿部の形状に応じて変形し易いので、前記生理用ナプキン１は、着用者の両脚の大腿部が受ける吸収体の硬さや刺激を感取し難くさせ、着用時における違和感を抑制し易い。
【００９１】
なお、本開示の吸収性物品において、一対の圧搾部は上記の態様のものに制限されず、吸収性物品の排泄口対応領域の長手方向における一部のみに設けられていてもよい。さらに、一対の圧搾部は前方領域２７及び後方領域３１の長手方向における全域又は一部にも設けられていてもよい。かかる場合においても、吸収性物品において、当該一対の圧搾部を基点として吸収性物品の長手方向に延びる両側縁部付近が肌対向面側に隆起し易くなるに伴い、上記一対のクッション部も肌対向面側に起立し易くなる。その結果、前記吸収性物品は、着用者の両脚の大腿部が受ける吸収体の硬さや刺激を感取し難くさせ、着用時における違和感を抑制し易い。
【００９２】
［裏面シート］
本実施形態に係る生理用ナプキン１において裏面シート１４は、図１、３、４、５に示すように、生理用ナプキン１の平面視における全面に亘る領域において厚さ方向Ｔの非肌対向面側に配置され、着用者から排出された経血や尿等の液状排泄物の漏洩を防ぐ液不透過性シート部材によって構成されている。かかる液不透過性シート部材は、吸収性物品の裏面シートとして用い得る諸特性（液不透過性や通気性、柔軟性等）を有する限り、通気性を有するポリエチレンやポリプロピレン等の樹脂フィルム、熱可塑性樹脂製シート等、公知の液不透過性シート部材を用いることができる。
【００９３】
［第２実施形態］
続いて、本開示の吸収性物品の第２実施形態について説明する。なお、本開示の第２実施形態における各部材について、前記第１実施形態における部材と同様の構成であって、同様の作用効果を奏するものについては、第１実施形態と同一の符号を付し、その詳細な説明を省略する。
【００９４】
図７は、本開示の第２実施形態に係る生理用ナプキン１０について、図１のＩＶ−ＩＶ端面に相当する端面図である。また、図８は、図７における領域Ｙの拡大図である。
【００９５】
前記第１実施形態において、サイドシート１３、１３’は、サイドシート１３、１３’の長手方向Ｌに延びる一方の側縁部分が、吸収体１２の長手方向Ｌに延びる両側縁６、６’の肌対向面側に重なるように配置されている一方、その他方の側縁部分は、フラップ部１１、１１’において裏面シート１４の肌対向面に接合されていたが、本実施形態において、サイドシート１３、１３’は、図７及び８に示すように、サイドシート１３、１３’の長手方向Ｌに延びる一方の側縁部分が、吸収体１２の長手方向Ｌに延びる両側縁６、６’の非肌対向面側に重なるように配置されている一方、その他方の側縁部分は、フラップ部１１、１１’において裏面シート１４の肌対向面に接合されている。
【００９６】
さらに、本実施形態に係る生理用ナプキン１０において、図７及び８に示すように、表面シート８とサイドシート１３、１３’のそれぞれとの接合部４９、４９’は、吸収体１２の非肌対向面側の位置に設けられている。また、本実施形態における一対のクッション部４５、４５’のそれぞれは、吸収側部３、３’における表面シート８が吸収体１２の幅方向Ｗにおける両側縁６、６’を巻き込むように非肌対向面側に折り返されて形成されている。
【００９７】
本実施形態に係る生理用ナプキン１０は、上記構成の一対のクッション部４５、４５’を備えることにより、着用者の両脚の大腿部が生理用ナプキン１０を幅方向に押圧しても、吸収体１２が着用者の両脚の大腿部に一対のクッション部４５、４５’を介して当接し易い。つまり、幅方向Ｗにおいて、吸収体１２よりも一対のクッション部４５、４５’の方が外側にせり出しているので、着用者の両脚の大腿部が生理用ナプキン１を幅方向に押圧すると、一対のクッション部４５、４５’は、着用者の両脚の大腿部に吸収体１２の硬さを感取し難くする、いわばクッション材のように機能する。したがって、上記構成により、吸収体１２の硬さが着用者の両脚の大腿部に伝わり難くなる。さらに本実施形態においては、一対のクッション部４５、４５’が吸収体１２の幅方向Ｗにおける両側縁を巻き込むように形成されているので、一対のクッション部４５、４５’がより確実に吸収体１２の硬さを着用者の両脚の大腿部に感取し難くさせ、生理用ナプキン１０の着用感が良い。
【００９８】
なお、本開示の吸収性物品における一対のクッション部の態様は前記第１及び第２の実施形態に記載した態様に限定されず、適宜変更可能である。例えば、前記のように本開示の吸収性物品にあっては、サイドシートは必須の構成ではないので、かかる場合は、表面シートの接合先を裏面シート又は吸収体を被覆する液透過性被覆シート等とすることもできる。
【００９９】
なお、本開示の吸収性物品は、上記の実施形態や例示的記載に制限されることなく、本開示の目的、趣旨を逸脱しない範囲内において、適宜組み合わせや変更等が可能である。
また、本開示は、上記の実施形態の生理用ナプキンのほかに、例えば、パンティライナー、（軽）失禁パッド等の様々な吸収性物品に適用することができる。なお、本明細書において、「第１」、「第２」等の序数は、当該序数が付された事項を区別するためのものであり、各事項の順序や優先度、重要度等を意味するものではない。
【符号の説明】
【０１００】
１    生理用ナプキン
２    吸収本体部
３、３’    吸収側部
４    前方端部
５    後方端部
６、６’    両側縁
７、７’    側縁部
８    表面シート
８ａ    第１シート
８ｂ    第２シート（セカンドシート）
１０    生理用ナプキン（変形例）
１１、１１’    フラップ部
１２    吸収体
１３、１３’    サイドシート
１４    裏面シート
１５    粘着部
１７、１７’    粘着部
２３    前方端縁部
２５    後方端縁部
２７    前方領域
２９    排泄口対応領域
３１    後方領域
３３、３３’    第１端部
３５、３５’    第２端部
３７、３７’    圧搾部
３９、３９’    排泄口隣接領域
４１    畝部
４３    溝部
４５、４５’    クッション部
４７、４７’    外側端部
４９、４９’    接合部
５１、５１’    上方クッション部
５３、５３’    下方クッション部
５５    ショーツ
ＥＳ    外面
ＩＳ    内面
５７、５７’    端部
【図１】
0006758384.tif 000002
【図２】
0006758384.tif 000003
【図３】
0006758384.tif 000004
【図４】
0006758384.tif 000005
【図５】
0006758384.tif 000006
【図６】
0006758384.tif 000007
【図７】
0006758384.tif 000008
【図８】
0006758384.tif 000009